(57)【要約】【課題】測定対象物の放射線の電離作用によって測定室内の気体中に生成されたイオンを吸引し、電離電流を検出して放射線を測定する放射線測定装置において、測定室内の気体吸引速度差を小さくし、感度位置依存性を小さくし、精度の高い放射線測定を行う。【解決手段】測定室２内に収納された測定対象物１の周囲に気体噴出装置１７から気体を吹き付け、測定室２内の気体５を攪拌し、攪拌された気体５を吸引装置３で吸引して気体循環経路８内を循環させ、気体循環経路８の途中に設けられたイオン収集装置９で気体中のイオンを収集し、電離電流測定装置６で電離電流を測定し、この電離電流の値を基にデータ処理装置７で演算処理して放射線量を測定する。【選択図】  図１
2005134239.tif 000002
【特許請求の範囲】
【請求項１】
放射線の測定対象物を気体と共に収納する測定室と、前記測定対象物の放射線により電離された電離イオンを含む前記測定室内の気体を循環させる気体循環経路と、前記気体循環経路に設けられたイオン収集装置と、前記イオン収集装置により収集されたイオンから電離電流を測定する電離電流測定装置と、前記電離電流測定装置により測定された電離電流を基に測定対象物の放射線量を演算処理するデータ処理装置と、前記測定室内に収納された測定対象物をその周囲から取り囲むように設けられ、測定対象物に気体を吹き付ける複数個の気体噴出装置と、前記気体噴出装置に気体を送る気体送風装置とからなることを特徴とする放射線測定装置。
【請求項２】
前記測定室の気体出口側に設けた第１の粒子捕集装置と、前記イオン収集装置の気体の流れの下流側に設けられ、前記第１の粒子捕集装置の捕集対象粒径より小さい捕集対象粒径を有する第２の粒子捕集装置とを有することを特徴とする請求項１記載の放射線測定装置。
【請求項３】
前記測定室の気体出口側と前記イオン収集装置との間の気体循環経路に設けられ、前記気体循環経路から絶縁された導電体と、この導電体をプラス及びマイナスに帯電させる帯電装置とを有し、前記導電体をプラスに帯電した場合に測定した電離電流の値と、前記導電体をマイナスに帯電した場合に測定した電離電流の値より放射線量を補正するようにしたことを特徴とする請求項１記載の放射線測定装置。
【請求項４】
放射線の測定対象物を気体と共に収納する測定室と、測定対象物の放射線により電離された電離イオンを含む前記測定室内の気体を循環させる気体循環経路と、前記気体循環経路に設けられた電荷収集装置と、前記電荷収集装置により収集された積算電荷量から電荷量を測定する電荷測定装置と、前記電荷測定装置により測定された電荷を基に測定対象物の放射線量を演算処理するデータ処理装置と、前記測定室内に収納された測定対象物をその周囲から取り囲むように設けられ、測定対象物に気体を吹き付ける複数個の気体噴出装置と、前記気体噴出装置に気体を送る気体送風装置とからなる放射線測定装置。
【請求項５】
前記気体噴出装置が測定対象物に対してその位置が自由に変更可能であることを特徴とする請求項１または４のいずれかに記載の放射線測定装置。
【請求項６】
前記複数個の気体噴出装置と前記気体送風装置との間に設けられ、各気体噴出装置に送られる送風量を開閉制御する開閉バルブを有する開閉装置と、前記開閉装置の開閉バルブの開閉を制御する開閉制御装置とを有することを特徴とする請求項１または４のいずれかに記載の放射線測定装置。
【請求項７】
前記測定対象物を回転させる回転装置と、測定対象物の回転角度を検出する回転角度検出装置とを有し、測定対象物の回転角度に応じて前記開閉装置の開閉バルブの開閉を制御するようにしたことを特徴とする請求項６記載の放射線測定装置。
【請求項８】
前記気体噴出装置から前記測定室内に気体を噴出した時に電離電流または電荷を測定し、測定した電離電流または電荷の値を基に放射線量を求めることを特徴とする請求項１または４のいずれかに項記載の放射線測定装置。
【請求項９】
前記測定対象物の映像を撮影する撮影装置を設け、この撮影装置の映像信号から測定対象物の回転角度を検出するようにしたことを特徴とする請求項７記載の放射線測定装置。
【請求項１０】
前記測定室の気体入口側に取り付けられ、大気を前記測定室内に取り入れる気体取り入れ口を形成した第１の粒子捕集装置と、前記気体循環径路を流れてきた気体を電離電流を測定後、大気中に放出する第２の粒子捕集装置とを有することを特徴とする請求項１または４のいずれかに記載の放射線測定装置。
【請求項１１】
前記測定対象物が原子炉用燃料棒であることを特徴とする請求項１または４のいずれかに記載の放射線測定装置。
【請求項１２】
前記測定対象物は測定対象空間であることを特徴とする請求項１または４のいずれかに記載の放射線測定装置。
【発明の詳細な説明】
【技術分野】
【０００１】
本発明は、放射線測定対象物を測定室内に収納し、放射線の電離作用で生成されたイオンを収集し、イオン化による電離電流を測定することにより測定対象物の放射線量を測定する放射線測定装置に関する。
【背景技術】
【０００２】
放射線測定装置として従来、放射線の電離作用によって気体が電離され、電離によって生成されたイオンを気体と共に吸引し、電場をかけた電極でイオンによる電離電流を検出し、その強度から放射線量を測定するようにしたものがある。
【０００３】
その一例として、従来図９に示すようなものが考えられている。  
図９において、１は放射線の測定対象物、２は前記測定対象物１を収納する測定室、３ａ〜３ｄは例えば測定室２の周囲4箇所に等間隔にパイプ４ａ〜４ｄを介して接続され、測定室２内の気体５を吸引する吸引装置、６ａ〜６ｄは各吸引装置３ａ〜３ｄと測定室2との間のパイプ４ａ〜４ｄの途中に設けられた電離電流測定装置、７は各電離電流測定装置６ａ〜６ｄで測定された電離電流値が入力されるデータ処理装置である（例えば、特許文献１参照。）。
【０００４】
このような放射線測定装置であると、測定対象物１の放射線により電離された電離イオンを含む測定室２内の気体５を吸引装置３ａ〜３ｄで吸引し、各電離電流測定装置５ａ〜５ｄでイオンによる電離電流を測定し、この測定された電離電流を基にデータ処理装置６で演算処理して測定対象物１の放射線量を測定する。
【０００５】
一方、従来の別の手段として図１０に示すようなものも考えられている。  
図１０において、１は放射線の測定対象物で、例えば片側が閉塞された筒状の物体、２は前記測定対象物１を収納する測定室、８は測定室２に接続された気体循環経路で、この循環経路の途中に電極を有するイオン収集装置９、測定室２内の気体５を気体循環経路８内に吸引する吸引装置３、及び粒子捕集装置１０を備えている。
【０００６】
１１は測定室２の内部に設けられ、先端を測定対象物１に向けて開口したパイプ状の気体噴出装置、１２は測定室２の外部に設けられ、前記気体噴出装置１１に気体を送風する気体送風装置、６はイオン収集装置９により収集されたイオンから電離電流を測定する電離電流測定装置、７は電離電流測定装置６で測定された電離電流値が入力されるデータ処理装置、１３は前記イオン収集装置９の電極に電圧を印加する電圧供給装置である（例えば、非特許文献１参照。）。
【０００７】
このような放射線測定装置であると、測定対象物１の放射線により電離された電離イオンを含む測定室２内の気体５を吸引装置３で吸引して気体循環経路８内に矢印Ｘ方向に沿って循環させ、循環経路の途中に設けたイオン収集装置９でイオンを収集する。  
収集されたイオンは電離電流測定装置６により電離電流を測定し、この測定された電離電流を基にデータ処理装置７で演算処理して測定対象物１の放射線量を測定する。
【０００８】
気体循環経路８を流れる気体はイオンを捕獲されたあと粒子捕集装置１０を通って再び測定室２内に戻される。  
測定室２内においては気体送風装置１２から送られてくる風を気体噴出装置１１を介して測定対象物１の筒内に吹き付けることにより筒内に滞留した気体を気体循環経路８内に強制的に循環させる。
【特許文献１】特開２００３−１９４９４６号公報（Ｐ１４、図９）
【非特許文献１】日本原子力学会「２００３年秋の大会」予稿集（Ｐ６４）
【発明の開示】
【発明が解決しようとする課題】
【０００９】
しかしながら図９に示すような従来の放射線測定装置であると、測定室２内の気体５を測定室２の周囲4箇所に等間隔に設けた吸引装置３ａ〜３ｄにより吸引しているが、測定室２内の気体吸引速度差が大きく、測定対象物１の表面近傍の気体を均等な速度で吸引することが難しい。
【００１０】
特に大型で、種々の形状をした測定対象物であると、イオンを含む気体が測定室２内の隅部や測定対象物１の凹部などに滞留してしまい、より一層均等に吸引することが難しくなる。  
このため、測定対象物１に対する感度位置依存性が大きくなり、精度の高い放射線測定が行えない。
【００１１】
一方、図１０に示す従来の放射線測定装置であると、気体噴出装置１１による部分的送風により測定室２内の気体５を攪拌し、一部の感度差を小さくしているものの、図示するような円筒型のような単純な形をした測定対象物にはある程度の効果があるものの、大型で、複雑な形状をした測定対象物に対してはあまり効果が期待できず、図９に示す従来例と同様に、イオンを含む気体の滞留が生じ、測定対象物１に対する感度位置依存性が大きくなり、精度の高い放射線測定が行えない。
【００１２】
本発明は以上の課題を解決するためになされたものであり、大型で、複雑な形状をした測定対象物に対しても精度の高い放射線測定が行える放射線測定装置を得ることを目的とする。
【課題を解決するための手段】
【００１３】
上記目的を達成するために請求項１に記載の放射線測定装置の発明は、放射線の測定対象物を気体と共に収納する測定室と、前記測定対象物の放射線により電離された電離イオンを含む前記測定室内の気体を循環させる気体循環経路と、前記気体循環経路に設けられたイオン収集装置と、前記イオン収集装置により収集されたイオンから電離電流を測定する電離電流測定装置と、前記電離電流測定装置により測定された電離電流を基に測定対象物の放射線量を演算処理するデータ処理装置と、前記測定室内に収納された測定対象物をその周囲から取り囲むように設けられ、測定対象物に気体を吹き付ける複数個の気体噴出装置と、前記気体噴出装置に気体を送る気体送風装置とからなることを特徴とする。
【００１４】
また、請求項４に記載の放射線測定装置の発明は、放射線の測定対象物を気体と共に収納する測定室と、測定対象物の放射線により電離された電離イオンを含む前記測定室内の気体を循環させる気体循環経路と、前記気体循環経路に設けられた電荷収集装置と、前記電荷収集装置により収集された積算電荷量から電荷量を測定する電荷測定装置と、前記電荷測定装置により測定された電荷を基に測定対象物の放射線量を演算処理するデータ処理装置と、前記測定室内に収納された測定対象物をその周囲から取り囲むように設けられ、測定対象物に気体を吹き付ける複数個の気体噴出装置と、前記気体噴出装置に気体を送る気体送風装置とからなることを特徴とする。
【発明の効果】
【００１５】
本発明の放射線計測装置によれば、大型で、複雑な形状をした測定対象物に対しても精度の高い放射線測定が行える。
【発明を実施するための最良の形態】
【００１６】
以下本発明の実施の形態について図面を参照して説明する。なお、以下の実施の形態の説明において、図９及び図１０に示す従来の放射線測定装置と同一部分には同一の符号を付し、詳細な説明は省略する。
【００１７】
図１は本発明の第１の実施の形態を示す図で、図１において、１は片方が閉塞した円筒型容器のような放射線の測定対象物、２は測定対象物１を収納する測定室、８は一端が測定室２の気体出口側に気体収束装置１４を介して接続され、他端が測定室２の気体入口側に気体拡散装置１５を介して接続された気体循環経路で、この気体循環経路８の途中に電極を有するイオン収集装置９、測定室２内の空気からなる気体５を気体循環経路８内に吸引する吸引装置３、粒子捕集装置１０及び吸引装置３で気体循環経路８内に吸引した測定室２内の気体５を再び気体拡散装置１５を通して測定室２内へ循環させる送風装置１６とを設けている。
【００１８】
６はイオン収集装置９により収集されたイオンから電離電流を測定する電離電流測定装置、７は電離電流測定装置６で検出された電離電流値が入力されるデータ処理装置、１３は前記イオン収集装置９の電極に電圧を印加する電圧供給装置である。
【００１９】
１７は測定室２内に収納された測定対象物１をその周囲から取り囲むように測定室２の壁に取り外し自在に取り付けられた複数個のノズル状の気体噴出装置であり、各気体噴出装置１７の気体噴出口は測定対象物１に向けてその位置が自由に変えられるように取り付けられている。
【００２０】
図１では平面的に見て測定室２の一つの壁に３個の気体噴出装置１７を取り付け、四つの壁で合計１２個の気体噴出装置１７を取り付けた状態を示しているが、実際には天井壁にも気体噴出装置は取り付けられており、その数、取り付け位置などは必要に応じて決定される。
【００２１】
また、各気体噴出装置１７は、作業員が測定室２内に入ってあらかじめイオンを含む気体の滞留が予測される個所に向けて調整しながら最適な位置、方向になるように測定室２の壁に取り付け、固定することにより効率的に取り付けることができる。
【００２２】
１８は各気体噴出装置１７に接続され、気体噴出装置１７の自由な位置調整作業にも追従する可撓性を有する送風パイプ、１９は各送風パイプ１８を介して気体噴出装置１７に気体を送る気体送風装置、２０は気体送風装置１９と複数個の各気体噴出装置１７とを一括して接続し、気体送風装置１９から各気体噴出装置１７に送られる送風量を個々に開閉制御する図示しない開閉バルブを有した開閉装置、２１は開閉装置２０の開閉バルブの開閉を制御する開閉制御装置である。
【００２３】
２２は測定室２内に設けられ、測定対象物１を載置して、載置したまま回転可能なターンテーブルのような回転装置、２３は測定対象物１の回転角度を検出する回転角度検出装置、２４は測定室２の壁内側に設けられ、気体循環経路８から測定室２内に循環送風されてくる気体を測定室２内で円滑に流動させるための整流板、２５は気体送風装置１９の気体取り入れ口に設けられた粒子捕集装置である。
【００２４】
次に、本実施の形態による放射線測定装置の作用について説明する。  
測定室２内に収納された測定対象物１の表面で放射線により電離された電離イオンを含む気体５は吸引装置３で吸引され、気体収束装置１４により収束されて気体循環経路８内に矢印Ｘ方向に沿って循環される。
【００２５】
気体循環経路８内に送られた気体５は循環経路の途中に設けたイオン収集装置９を通過し、ここで気体中に含まれるイオンが収集される。  
収集されたイオンは電離電流測定装置６にて電離電流が測定され、この測定された電離電流を基にデータ処理装置７で演算処理して測定対象物１の放射線量を測定する。
【００２６】
一方、気体循環経路８内を気体５が循環する時、気体送風手段１９では高速の気体を発生し、開閉装置２０の開閉バルブ、送風パイプ１８を通って複数個の気体噴出装置１７に送られ、そのノズル先端から測定対象物１の周囲に高速の気体を吹き付ける。
【００２７】
測定対象物１の表面では気体噴出装置１７から吹き付けられた高速の気体が衝突し、測定対象物１の表面に生成されたイオンが剥離されると共に測定室2内の気体５が攪拌され、この攪拌された気体５を吸引装置８により吸引し、気体収束装置１４を通って気体循環経路８内に循環させる。
【００２８】
気体循環経路８を流れる気体はイオンを収集されたあと粒子捕集装置１０を通って浄化され、気体送風装置１６により気体拡散装置１５で広範囲に拡散された状態で再び測定室２内に戻される。
【００２９】
このように本実施の形態による放射線測定装置によれば、測定対象物１の表面に生成されたイオンを気体噴出装置１７から吹き付けられた高速の気体により剥離し、測定室２内の気体５を攪拌して気体循環経路８に設けられたイオン収集装置９に移送するようにしているので、測定室２内でのイオンの滞留がなくなり、気体拡散装置１５により拡散された気体の流れだけに比べてイオンの循環がより円滑になり、イオンの測定効率差が小さくなる。
【００３０】
特に大型で、複雑な形状をした測定対象物に対しても測定対象物の周囲に設けられた複数の気体噴出装置１７により高速の気体を吹き付けられるので滞留イオンをなくし、イオンの循環が円滑になるので測定対象物１に対する感度位置依存性が小さくなり、精度の高い放射線測定が行える。
【００３１】
また測定対象物１の放射線測定を行う時、測定対象物１を回転装置２２により回転させ、測定対象物１の回転角度を回転角度検出装置２３により検出し、その検出信号を開閉制御装置２１に入力し、前もって定めた測定対象物１の角度毎に各気体噴出装置１７からの気体の噴出量を開閉制御装置２１による開閉装置２０の開閉バルブの調節により制御する。
【００３２】
例えば、気体収束装置１４を取り付けた測定室２の壁に設けた気体噴出装置１７からの気体の噴出がなく、測定対象物１の回転角度が３１５度から４５度の場合には気体拡散手段１５を取り付けた測定室２の壁に設けた気体噴出手段１７からのみ気体を噴出させ、回転角度が４５度から１３５度の場合は気体拡散手段１５を取り付けた測定室２の壁から９０度回転した面に取り付けられた気体噴出装置１７からのみ気体が噴出し、回転角度が１３５度から２２５度の場合には気体拡散手段１５を取り付けた測定室２の壁から２７０度回転した面に取り付けられた気体噴出装置１７からのみ気体が噴出するように制御する。
【００３３】
このように測定対象物１を回転させ、その回転角度に応じて気体噴出装置１７からの気体の噴出量を制御することにより、より複雑な形状の測定対象物の場合でも滞留イオンをなくし、イオンの循環が円滑になるので測定対象物１に対する感度位置依存性が小さくなり、精度の高い放射線測定が行える。
【００３４】
さらにまた、気体噴出装置１７から気体を噴出した時のみ気体循環経路８に設けたイオン収集装置９によりイオンを収集して電離電流を測定し、気体噴出装置１７から気体が噴出しない時には電離電流を測定せず、測定した複数個の電離電流の値を例えば平均値を算出してそれから放射線量を求めるようにすると、効率的に収集した電流値から演算処理できるので感度差が小さくなり、より測定精度が向上する。
【００３５】
例えば、片側のみ開口した円筒容器形状の測定対象物を、開口を気体拡散装置１５に向けて横置きし、これを角度０度とした場合、測定対象物１の回転角度が３４０度から２０度の場合には、気体拡散装置１５を取り付けた測定室２の壁に設けた気体噴出手段１７からのみ気体を噴出させ、回転角度が７０度から１１０度の場合は気体拡散手段１５を取り付けた測定室２の壁から９０度回転した壁に取り付けられた気体噴出装置１７からのみ気体を噴出させ、回転角度が１６０度から２００度の場合には気体拡散手段１５を取り付けた測定室２の壁から１８０度回転した壁に取り付けられた気体噴出装置１７からのみ気体を噴出させ、回転角度が２５０度から２９０度の場合には気体拡散手段１５を取り付けた測定室２の壁から２７０度回転した壁に取り付けられた気体噴出装置１７からのみ気体を噴出させるようにする。  
このようにした場合でも感度差が小さくなり、より測定精度が向上する。
【００３６】
次に本発明の第２の実施の形態について図２を参照して説明する。なお以下の実施の形態の説明において、図１に示す本発明の第１の実施の形態と同一部分には同一の符号を付し、詳細な説明は省略する。
【００３７】
図２において、２６は測定室２内で回転装置２２上に載置された測定対象物１の映像を撮影するビデオカメラのような撮影装置で、この撮影装置２６で撮影した測定対象物１の映像信号は開閉制御装置２１に入力される。
【００３８】
本実施の形態による放射線測定装置であると、撮影装置２６で撮影した測定対象物１の形状は映像信号として開閉制御装置２１に送られ、この形状から測定対象物１の回転角度を検出し、この回転角度を基に前もって定めた測定対象物１の角度毎に各気体噴出装置１７からの気体の噴出量を開閉制御装置２１による開閉装置２０の開閉バルブの調節により制御する。
【００３９】
本実施の形態においても測定対象物１の映像信号から測定対象物１の回転角度を検出し、その回転角度に応じて気体噴出装置１７からの気体の噴出量を制御することにより、より複雑な形状の測定対象物の場合でも滞留イオンをなくし、イオンの循環が円滑になるので測定対象物１に対する感度位置依存性が小さくなり、精度の高い放射線測定が行える。
【００４０】
次に本発明の第３の実施の形態について図３を参照して説明する。  
図３において、２７は測定室２内の気体５の流れに沿って測定室２の出口側に設けられた第１の粒子捕集装置、２８は気体循環経路８のイオン収集装置９の下流側に設けられ、前記第１の粒子捕集装置２７の捕集対象粒径より小さい捕集対象粒径を有する第２の粒子捕集装置である。
【００４１】
一般に、気体循環経路８を流れる気体５の中に含まれる粒子としては粒径の大きい順番に例えば以下の３種類が考えられる。  
まず、測定対象物１に付着するダスト粒子、次に空気中に漂うエアロゾル、最後に
放射線の電離作用によって生成されたイオンが付着したクラスタイオンである。
【００４２】
ここで、第１の粒子捕集装置２７の捕集粒径をダスト粒子に合わせ、第２の粒子捕集装置２８の捕集粒径をエアロゾルに合わせるように設定しておく。  
このようにすると、第１の粒子捕集装置２７ではなるべくクラスタイオンの透過率をあげるとともに感度のバラツキの要因であるダスト粒子を確実に捕集し、第２の粒子捕集装置２８では測定環境に悪影響するエアロゾルを捕集し、イオンを効率的に収集するため感度が向上し、精度の高い放射線測定が行える。
【００４３】
次に本発明の第４の実施の形態について図４を参照して説明する。  
図４において、２９は第１の実施の形態におけるイオン収集装置に代わって気体循環経路８の途中に設けられた電荷収集装置で、内部に絶縁された導電体３０を備えている。３１は電荷収集装置２９に接続され、導電体３０に蓄積された電荷を測定する電荷測定装置、３２は電荷測定装置３１に接続され、この電荷測定装置３１により測定された電荷量を基に測定対象物１の放射線量を演算処理するデータ処理装置である。
【００４４】
本実施の形態による放射線測定装置であると、測定室２内に収納された測定対象物１の表面で放射線により電離された電離イオンを含む気体５は吸引装置３により吸引され、気体収束装置１４により収束されて気体循環経路８内に矢印Ｘ方向に沿って循環される。
【００４５】
気体循環経路８内に送られた気体５は循環経路の途中に設けた電荷測定装置２９の導電体３０に電荷として蓄積される。蓄積された電荷は電荷測定手段３１によりその積算値が測定される。その測定された電荷量を基に前もって定めた電荷量から放射線量への換算定数を使用してデータ処理装置３２で演算処理して放射線量を測定する。
【００４６】
本実施の形態によれば、測定対象物１の放射線により電離されたイオンを積算電荷量として測定するため、生成されたイオンが微弱イオンでも高感度で測定でき、精度の高い放射線測定が行える。
【００４７】
次に本発明の第５の実施の形態について図５を参照して説明する。  
図５において、３３は気体収束装置１４とイオン収集装置９との間の気体循環経路８の中に設置された絶縁された導電体、３４は前記導電体３３をプラスまたはマイナスに帯電させる帯電装置、３５は電離電流測定装置６で測定された電離電流値が入力され、導電体３３がプラスに帯電された場合に測定した電離電流の値と、マイナスに帯電された場合に測定した電離電流の値との関係より放射線量を補正するデータ解析手段である。
【００４８】
本実施の形態による放射線測定装置であると、まず、導電体３３を帯電手段３４によりプラスに帯電させ、測定室２内の気体５を気体循環経路８内に循環させると、気体５中のマイナスイオンは導電体３３に吸着され、プラスイオンのみが通過してイオン収集装置９で収集され、電離電流測定装置６で第１の電流値として測定される。
【００４９】
次に、導電体３３を帯電装置３４によりマイナスに帯電させ、測定室２内の気体５を気体循環経路８内に循環させると、気体５中のプラスイオンは導電体３３に吸着され、マイナスイオンのみが通過してイオン収集装置９で収集され、電離電流測定装置６で第２の電流値として測定される。  
ここで、測定対象物１のイオンは、水分子を複数個含み、プラスとマイナスは成分が異なるクラスタイオンと考えられている。
【００５０】
従って、前もって求めた気体中の水分量に応じて変化するプラスイオンとマイナスイオンによる電流値の比と例えばマイナスイオンによる電流強度の変化率の関係と、前記のように測定したマイナスイオンとプラスイオンによる電流値の比から電流強度の変化率を算出し、測定した電流値をこの電流強度の変化率で補正し、補正後の電流値と電流から放射線量への換算定数を使用して、データ解析手段１３により演算処理して放射線量を求める。  
本実施の形態によれば、気体中の水分量を補正して放射線量を求めるので、精度の高い放射線測定が行える。
【００５１】
次に本発明の第６の実施の形態について図６を参照して説明する。  
図６において、３６は図１に示す気体拡散装置に代わって測定室２の気体入口側に取り付けられた粒子捕集装置で、その中央部には大気を測定室２内に取り入れるための気体取り入れ口３７が形成されている。
【００５２】
一方、気体循環経路８に設けられた粒子捕集装置１０の出口は測定室２に循環帰還されずに大気中へ放出されるようになっている。  
本実施の形態による放射線測定装置であると、測定室２内には、気体取り入れ口３７を通じて外気を取り入れ、この際粒子捕集手段３６により外気中のエアロゾルを捕集する。
【００５３】
測定室２内に取り入れられた気体は図１に示す第１の実施の形態で説明したのと同様にイオン化され、また、気体送風手段１９で発生した高速の気体を複数個の気体噴出装置１７のノズル先端から測定対象物１に吹き付けられ、測定対象物１の表面に生成されたイオンが剥離され、電離電流が測定される。  
イオンを収集されたあとの気体は粒子捕集装置１０を通って浄化され、外気中に放出される。
【００５４】
本実施の形態によれば、イオンを収集されたあとの気体は測定室２内に帰還させることなく、粒子捕集装置１０を通って浄化され、外気中に放出させるので気体の帰還経路を省略することができ、測定装置を簡素化、小型化するとともに、測定対象物１に対する感度位置依存性が小さくなり、精度の高い放射線測定が行える。
【００５５】
次に本発明の第７の実施の形態について図７を参照して説明する。  
図７において、３８は放射線の測定対象物である複数本の原子炉用燃料棒３９を収納した収納容器、１７は原子炉用燃料棒の軸方向に沿って測定室２の壁に取り付けられた複数個の気体噴出装置である。
【００５６】
本実施の形態による放射線測定装置であると、原子炉用燃料棒３９の軸方向に取り付けられた、複数個の気体噴出装置１７から気体を噴出し、原子炉用燃料棒３９の表面近傍に生成されたイオンを剥離し、イオン収集装置９に通じる気体循環経路８に効率的に移送するので、原子炉用燃料棒３９の軸方向の感度差が小さくなり精度の高い放射線測定が行える。
【００５７】
ここで、原子炉用燃料棒３９の放射線量測定装置は、気体中の電離イオンの生成密度が格段に大きいα放射線に対して極めて感度が高いので、例えば、原子炉用燃料棒３９の表面に対して、α線を放出する核種の汚染検査に利用できる。  
また、原子炉用燃料棒３９に加えて、原子炉用燃料集合体、放射性廃棄物を固化処理し収納した容器の表面汚染検査にも同様に利用できる。
【００５８】
次に本発明の第８の実施の形態について図８を参照して説明する。  
図８において、４０は測定対象としての測定対象空間で、この測定対象空間４０に対して気体を噴射する複数個の気体噴出装置１７を測定室２の壁に取り付けている。
【００５９】
本実施の形態による放射線測定装置であると、測定対象物として形のある固体に限定されることなく、複数個の気体噴出装置１７から高速の気体を測定室２内の測定対象空間４０内に噴出し、測定対象空間４０内の気体５を攪拌して滞留することなく気体循環経路８まで移送し、放射線測定を行う。  
したがって、本発明で言う測定対象物には上記測定対象空間も含まれる。  
イオン収集装置９を通過後の気体は粒子捕集手段３６で浄化され、外気に放出される。
【００６０】
本実施の形態によれば、測定対象空間の電離イオンを移送し測定するので、広い空間の測定対象１に対しても、滞留イオンを減少させ空間位置に起因する感度差を小さくすることができ、精度の高い放射線測定が行える。
【図面の簡単な説明】
【００６１】
【図１】本発明の第１の実施の形態による放射線測定装置のブロック構成図。
【図２】本発明の第２の実施の形態による放射線測定装置のブロック構成図。
【図３】本発明の第３の実施の形態による放射線測定装置のブロック構成図。
【図４】本発明の第４の実施の形態による放射線測定装置のブロック構成図。
【図５】本発明の第５の実施の形態による放射線測定装置のブロック構成図。
【図６】本発明の第６の実施の形態による放射線測定装置のブロック構成図。
【図７】本発明の第７の実施の形態による放射線測定装置のブロック構成図。
【図８】本発明の第８の実施の形態による放射線測定装置のブロック構成図。
【図９】従来の放射線測定装置を示すブロック構成図。
【図１０】従来の別の放射線測定装置を示すブロック構成図。
【符号の説明】
【００６２】
１…放射線の測定対象物、２…測定室、３…吸引装置、５…気体、６…電離電流測定装置、７、３２、３５…データ処理装置、８…気体循環経路、９…イオン収集装置、１０、２５、３６…粒子捕集装置、１２…気体送風装置、１３…電圧印加装置、１４…気体収束装置、１５…気体拡散装置、１６…送風装置、１７…気体噴出装置、１８…送風パイプ、１９…気体送風装置、２０…開閉装置、２１…開閉制御装置、２２…回転装置、２３…回転角度検出装置、２４…整流板、２６…撮影装置、２７…第１の粒子捕集装置、２８…第２の粒子捕集装置、２９…電荷収集装置、３０、３３…導電体、３１…電荷測定装置、３４…帯電装置、３７…気体取り入れ口、３９…原子炉用燃料棒、４０…測定対象空間。
【図１】
2005134239.tif 000003
【図２】
2005134239.tif 000004
【図３】
2005134239.tif 000005
【図４】
2005134239.tif 000006
【図５】
2005134239.tif 000007
【図６】
2005134239.tif 000008
【図７】
2005134239.tif 000009
【図８】
2005134239.tif 000010
【図９】
2005134239.tif 000011
【図１０】
2005134239.tif 000012